(57)【要約】      （修正有）【課題】汚れがたまりにくく、放熱性に優れた磁力駆動ポンプを提供する。【解決手段】台座１１と、インペラーベース部１２と、インペラー部材１３とによって構成する。前記台座には動力部材が設けられ、動力部材１１１の前方は磁力部１１２に接続され、磁力部の前縁には磁力部収容室１１３が設ける。前記インペラーベース部は、磁力部の前側に配置されるとともに、台座と連結され、インペラーベース部は、入水口１２２及び排水口１２３とを備える。インペラーベース部のインペラー収容室は、近接凹状空間１２４を形成し、近接凹状空間の中心には、回転軸２が差し込まれ、前記インペラー部材には、インペラー１３１が設けられ、インペラーの一側は、磁力端部１３２を備え、磁力端部には透孔１３３が設けられ、透孔には軸心カバー４が嵌合され、軸心カバーには、軸孔４１が設けられ、前記軸孔には内ネジ溝４２が設けられ、内ネジ溝の軸孔の両端には内ネジ溝口４２１を有する。【選択図】図２
0003166447.tif 000002
【実用新案登録請求の範囲】
【請求項１】
台座と、インペラーベース部と、インペラー部材とによって構成する磁力駆動ポンプであって、
前記台座には動力部材が設けられ、動力部材の前方は、磁力部を駆動するために磁力部に接続され、磁力部の前縁には磁力部収容室が設けられ、
前記インペラーベース部は、磁力部の前側に配置されるとともに、台座と連結され、インペラーベース部は、インペラー収容室と、インペラー収容室に連通する入水口及び排水口とを備え、
インペラーベース部のインペラー収容室は、横に延伸して、磁力部収容室に進入する近接凹状空間を形成し、近接凹状空間の中心には、前方へ突出する回転軸が差し込まれ、
前記インペラー部材には、インペラー収容室に収容されるインペラーが設けられ、インペラーの一側は、近接凹状空間に進入する磁力端部を備え、磁力端部には透孔が設けられ、透孔には軸心カバーが嵌合され、
軸心カバーには、回転軸が嵌めこまれる軸孔が設けられ、前記軸孔には内ネジ溝が設けられ、内ネジ溝の軸孔の両端には内ネジ溝口を有することを特徴とする、磁力駆動ポンプ。
【請求項２】
前記回転軸の周縁には外ネジ溝が設けられ、外ネジ溝の回転軸の両端は外ネジ溝口を有し、内ネジ溝の旋回方向は、外ネジ溝の旋回方向と反対であり、回転軸には、前後が貫通する通孔が設けられ、インペラーベース部内には、回転軸を位置決めする嵌合部が設けられ、嵌合部には、通孔をインペラー収容室及び近接凹状空間に連通させる回流ガイド溝が設けられることを特徴とする、請求項１に記載の磁力駆動ポンプ。
【請求項３】
前記磁力端部の透孔の前側と後側には、環状溝がそれぞれ設けられ、少なくとも一つの環状溝の周縁には棒状リブ部が設けられ、透孔の円縁には、前後が貫通している拡張溝が設けられ、軸心カバーにおける拡張溝に対向する位置には、前後が貫通しているカバー溝が設けられ、拡張溝とカバー溝によって、前後が貫通している導流孔が形成され、
軸心カバーの前縁或いは後縁は外側に延伸して環状支持部を形成し、環状支持部には、嵌合部に挟まれるガスケットが当接し、環状支持部が前方或いは後方へガスケットを支えることにより、導流孔と連通する第一導流領域が形成され、棒状リブ部によって、ガスケットと環状溝には、第一導流領域及び導流孔と連通する第二導流領域が保持され、ガスケットには、回転軸を通すためのガスケット透孔が設けられ、ガスケット透孔は平面部を有し、回転軸には、平面部の形に対応した回転軸平面が設けられることを特徴とする、請求項２に記載の磁力駆動ポンプ。
【考案の詳細な説明】
【技術分野】
【０００１】
本考案は磁力駆動ポンプに関し、特に液体を抽出する磁力駆動ポンプに関する。
【背景技術】
【０００２】
まず、図１を参照する。図１は、従来の磁力駆動ポンプの構造を示した概略図である。従来の磁力駆動ポンプ９には台座９０が設けられ、台座９０の前側にはインペラーベース部９１が連結され、インペラーベース部９１は、インペラー収容室９１１と、インペラー収容室９１１に連通する入水口９１３及び排水口９１４とを備え、インペラーベース部９１のインペラー収容室９１１は横に延伸して近接凹状空間９１２を形成する。また、インペラー収容室９１１にはインペラー９３が収容され、インペラー９３は、近接凹状空間９１４に進入する磁力端部９４を備え、磁力端部９４は軸心カバー９５に嵌合される。軸心カバー９５には、回転軸９６が横向きに貫設され、入水口９１３には、回転軸９６の前端を位置決めする前端部９１５が一体化して設けられ、近接凹状空間９１２における前端部９１５に対向する位置には、回転軸９６の後端を位置決めする後端部９１６が一体化して設けられる。
【０００３】
しかしながら、インペラーベース部９１における一体化された軸心カバー９５と回転軸９６は、回転軸９６の表面に汚れがたまりやすく、しかも回転軸９６には放熱設計がなされていないため、軸心カバー９５と回転軸９６が汚れの蓄積と摩擦による過熱で機能しなくなるという問題が生じる。
【考案の概要】
【考案が解決しようとする課題】
【０００４】
そこで、本考案は、汚れがたまりにくく、放熱性に優れた磁力駆動ポンプを提供することを目的とする。
【課題を解決するための手段】
【０００５】
本考案による磁力駆動ポンプは、台座と、インペラーベース部と、インペラー部材とによって構成する。前記台座には動力部材が設けられ、動力部材の前方は、磁力部を駆動するために磁力部に接続され、磁力部の前縁には磁力部収容室が設けられ、前記インペラーベース部は、磁力部の前側に配置されるとともに、台座と連結され、インペラーベース部は、インペラー収容室と、インペラー収容室に連通する入水口及び排水口とを備える。インペラーベース部のインペラー収容室は、横に延伸して、磁力部収容室に進入する近接凹状空間を形成し、近接凹状空間の中心には、前方へ突出する回転軸が差し込まれ、前記インペラー部材には、インペラー収容室に収容されるインペラーが設けられ、インペラーの一側は、近接凹状空間に進入する磁力端部を備え、磁力端部には透孔が設けられ、透孔には軸心カバーが嵌合され、軸心カバーには、回転軸が嵌めこまれる軸孔が設けられ、前記軸孔には内ネジ溝が設けられ、内ネジ溝の軸孔の両端には内ネジ溝口を有する。
【図面の簡単な説明】
【０００６】
【図１】従来技術の構造を示した概略図である。
【図２】本考案の実施例１を示した断面図である。
【図３】本考案の実施例２を示した断面図である。
【図４】本考案の実施例２のガスケットの正面図である。
【考案を実施するための形態】
【０００７】
（実施例１）
図２を参照する。図２は、本考案の実施例１を示した断面図である。本考案による磁力駆動ポンプ１は、少なくとも、台座１１と、インペラーベース部１２と、インペラー部材１３とによって構成する。
【０００８】
台座１１には動力部材１１１が設けられ、動力部材１１１の前方は磁力部１１２に接続されて、磁力部１１２は動力部材１１１により駆動される。磁力部１１２の前縁には、磁力部収容室１１３が設けられる。
【０００９】
インペラーベース部１２は、磁力部１１２の前側に配置されるとともに、台座１１と連結される。また、インペラーベース部１２は、インペラー収容室１２１と、インペラー収容室１２１に連通する入水口１２２及び排水口１２３とを備え、インペラーベース部１２のインペラー収容室１２１は、横に延伸して、磁力部収容室１１３に進入する近接凹状空間１２４を形成する。近接凹状空間１２４の中心には、前方へ突出する回転軸２が差し込まれる。
【００１０】
インペラー部材１３には、インペラー収容室１２１に収容されるインペラー１３１が設けられ、インペラー１３１の一側は、近接凹状空間１２４に進入する磁力端部１３２を備え、磁力端部１３２には透孔１３３が設けられ、透孔１３３には軸心カバー４が嵌合され、軸心カバー４には、回転軸２が嵌めこまれる軸孔４１が設けられる。その内、軸孔４１には内ネジ溝４２が設けられ、内ネジ溝４２の軸孔４１の両端は、内ネジ溝口４２１を有する。
【００１１】
また、回転軸２の周縁には外ネジ溝２１が設けられ、外ネジ溝２１の回転軸２の両端は外ネジ溝口２１１を有し、しかも、内ネジ溝４２の旋回方向は、外ネジ溝２１の旋回方向とちょうど反対である。また、軸心２には、前後が貫通する通孔２２が設けられ、インペラーベース部１２内には、軸心２を位置決めする嵌合部１２５が設けられ、嵌合部１２５には、通孔２２とインペラー収容室１２１及び近接凹状空間１２４とを連通させる回流ガイド溝１２６が設けられる。
【００１２】
以上の構造により、回転軸２は、外ネジ溝２１と内ネジ溝４２によって摩擦係数が減少し、また、外ネジ溝２１と、内ネジ溝４２と、通孔２２と、回流ガイド溝１２６によって、液体Ａが流動して作動中の回転軸２と軸心カバー４の熱エネルギーを放出し、それにより、回転軸２と軸心カバー４が摩擦によって生じる熱で損傷するのを防ぐことができる。また、内ネジ溝４２と外ネジ溝２１の旋回方向は反対であるため、作動中の回転軸２と軸心カバー４は、内ネジ溝４２と外ネジ溝２１により、相互に表面の汚れをこすり落とす。この相互に表面の汚れをこすり落とす効果により、回転軸２と軸心カバー４の使用寿命を延ばすことができる。
【００１３】
（実施例２）
図３と図４を参照する。図３は、本考案の実施例２を示した断面図であり、図４は、本考案の実施例２のガスケットの正面図である。磁力端部１３２の透孔１３３の前側と後側に、環状溝１３４がそれぞれ設けられ、少なくとも一つの環状溝１３４の周縁には、棒状リブ部１３５が設けられ、透孔１３３の円縁には、前後が貫通している拡張溝１３６が設けられる、軸心カバー４における拡張溝１３６に対向する位置には、前後が貫通しているカバー溝４３が設けられ、拡張溝１３６とカバー溝４３によって前後が貫通している導流孔１３ａが形成される。また、軸心カバー４の前縁或いは後縁は外側に延伸して環状支持部４４を形成し、環状支持部４４には、嵌合部１２５に挟まれるガスケット５が当接し、環状支持部４４が前方或いは後方へガスケット５を支えることにより、導流孔１３ａと連通する第一導流領域１３ｂが形成され、棒状リブ部１３５によって、ガスケット５と環状溝１３４には、第一導流領域１３ｂ及び導流孔１３ａと連通する第二導流領域１３ｃが保持される（図３に図示）。ガスケット５には、回転軸２を通すためのガスケット透孔５１が設けられ、ガスケット透孔５１は平面部５２を有し、回転軸２には、平面部５２の形に対応した回転軸平面２３が設けられる（図４に図示）。以上の構造により、第一導流領域１３ｂと、第二導流領域１３ｃと、導流孔１３ａと、通孔２２と、回流ガイド溝１２６と、内ネジ溝４２と、外ネジ溝２１とによって液体Ａが流動し、大量に液体Ａが流動することにより、作動中の回転軸２と軸心カバー４に生じる熱エネルギーの放出を効果的に行える（再び図３を参照する）。
【符号の説明】
【００１４】
（従来技術）
９        磁力駆動ポンプ        
９０      台座
９１      インペラーベース部        
９１１    インペラー収容室
９１２    入水口        
９１３    排水口
９１４    近接凹状空間      
９１５    前端部
９１６    後端部        
９３      インペラー
９４      磁力端部          
９５      軸心カバー
９６      回転軸
（本考案）
Ａ        液体              
１        磁力駆動ポンプ
１１      台座            
１１１    動力部材
１１２    磁力部
１１３    磁力部収容室
１２      インペラーベース部        
１２１    インペラー収容室
１２２    入水口        
１２３    排水口
１２４    近接凹状空間      
１２５    嵌合部
１２６    回流ガイド溝      
１３      インペラー部材
１３ａ    導流孔        
１３ｂ    第一導流領域
１３ｃ    第二導流領域    
１３１    インペラー
１３２    磁力端部        
１３３    透孔
１３４    環状溝          
１３５    棒状リブ部
１３６    拡張溝        
２        回転軸
２１      外ネジ溝          
２１１    外ネジ溝口
２２      通孔            
２３      回転軸平面
４        軸心カバー            
４１      軸孔
４２      内ネジ溝          
４２１    内ネジ溝口
４３      カバー溝          
４４      環状支持部
５        ガスケット              
５１      ガスケット透孔
５２      平面部
【図１】
0003166447.tif 000003
【図２】
0003166447.tif 000004
【図３】
0003166447.tif 000005
【図４】
0003166447.tif 000006